(57)【要約】【課題】換気時においてコンパクトな納まりで、かつ、室内が見えることがない二重ルーバーを提供する。【解決手段】窓枠の左右の室外側見込面３３０，４３０に枢支された複数の室外側羽根板７と、窓枠の左右の室内側見込面３４０，４４０に枢支された複数の室内側羽根板８と、室外側見込面と室内側見込面との間に位置して上下方向に移動自在に設けられた左右の作動部材５と、作動部材を上下動させる操作手段６と、を備え、室外側羽根板７、室内側羽根板８は、それぞれ腕片７１，８２を備えており、腕片７１，８２が作動部材５に対して幅方向に移動可能に連結されており、作動部材５の下動あるいは上動に連動して、室外側羽根板７、室内側羽根板８が、それぞれ室外側見込面上の枢支点Ｘ１、室内側見込面上の枢支点Ｘ１を回動軸として、互いに異なる方向へ回動する。【選択図】図３
2009235811.tif 000002
【特許請求の範囲】
【請求項１】
窓枠の幅方向に延出し、両端部が窓枠の左右の室外側見込面に枢支された複数の室外側羽根板と、
窓枠の幅方向に延出し、両端部が窓枠の左右の室内側見込面に枢支された複数の室内側羽根板と、
室外側見込面と室内側見込面との間に位置して上下方向に移動自在に設けられた左右の作動部材と、
少なくとも一方の作動部材を上下動させる操作手段と、
を備え、
前記室外側羽根板の両端部、前記室内側羽根板の両端部は、それぞれ腕片を備えており、それぞれの腕片が前記作動部材に対して当該作動部材の幅方向に移動可能に連結されており、前記操作手段による作動部材の下動あるいは上動に連動して、それぞれの腕片が下動あるいは上動することで、前記室外側羽根板、前記室内側羽根板が、それぞれ室外側見込面上の枢支点、室内側見込面上の枢支点を回動軸として、互いに異なる方向へ回動するように構成されている、
二重ルーバー。
【請求項２】
開口部閉鎖状態からの開放時において、前記室外側羽根板が室外側見込面上の枢支点を回動軸として下端側が室外側へ突出するように回動し、前記室内側羽根板が室内側見込面上の枢支点を回動軸として下端側が室内側へ突出するように回動し、
前記室内側羽根板の回動軸は、当該室内側羽根板の高さ方向において下端側に形成されており、前記室内側羽根板は、上端側が開口部閉鎖時に対向する室外側羽根板の下方に入り込み、下端側が常時室内側見付面から室内側に突出しないように回動する、
請求項１に記載の二重ルーバー。
【請求項３】
前記作動部材には、上下方向に間隔を設けて、幅方向に延びる複数の長孔が形成されており、各腕片は、当該長孔内を挿通する軸部を介して作動部材に幅方向に移動可能に連結されている、請求項１、２いずれかに記載の二重ルーバー。
【発明の詳細な説明】
【技術分野】
【０００１】
本発明は、二重ルーバーに関するものである。
【背景技術】
【０００２】
特許文献１には、窓枠の室外側に上下方向に亘って設けられた複数の室外側ルーバー片と、前記窓枠の室内側に上下方向に亘って設けられた複数の室内側ルーバー片とを備えた二重ルーバー開閉装置において、前記室外側ルーバー片を支持するとともに回動可能な複数の室外側枢支腕と、前記室内側ルーバー片を支持するとともに回動可能な複数の室内側枢支腕と、前記室外側枢支腕と前記室内側枢支腕とを連結するとともに上下動可能な立片と、前記立片と連結し、前記立片を上下動させることにより前記各ルーバー片の開閉を操作するハンドル操作部とを有し、前記室外側枢支腕の回動軸と前記室内側枢支腕の回動軸とを前記室外側ルーバー片と前記室内側ルーバー片との間において、互いに上下関係をなすように配置したことを特徴とする二重ルーバー開閉装置、が記載されている。
【０００３】
特許文献１に記載された従来の二重ルーバーにおいては、室外側に位置する羽根と室内側に位置する羽根とが常に平行を保った状態で回動するように構成されている。しかしながら、従来の平行状の羽根では、図１０に例示するように、換気時に羽根を回動させた場合に、羽根の角度、窓の取付位置、視線の角度等によって、室内が見てしまうおそれがあった。
【０００４】
一方、室外側に位置する羽根と室内側に位置する羽根が拡開状に傾動する二重ルーバーも提案されている（特許文献２）。しかしながら、このものでは、羽根が窓枠から大きく突出するため、換気時の意匠性および安全性（特に、室内側に突出する場合）において懸念がある。
【特許文献１】特許第３３７１２１６号
【特許文献２】特開２００１−４０９５２
【発明の開示】
【発明が解決しようとする課題】
【０００５】
本発明は、換気時においてコンパクトな納まりで、かつ、室内が見えることがない二重ルーバーを提供することを目的とする。
【課題を解決するための手段】
【０００６】
本発明が採用した技術手段は、窓枠の幅方向に延出し、両端部が窓枠の左右の室外側見込面に枢支された複数の室外側羽根板と、窓枠の幅方向に延出し、両端部が窓枠の左右の室内側見込面に枢支された複数の室内側羽根板と、室外側見込面と室内側見込面との間に位置して上下方向に移動自在に設けられた左右の作動部材と、少なくとも一方の作動部材を上下動させる操作手段と、を備え、前記室外側羽根板の両端部、前記室内側羽根板の両端部は、それぞれ腕片を備えており、それぞれの腕片が前記作動部材に対して当該作動部材の幅方向に移動可能に連結されており、前記操作手段による作動部材の下動あるいは上動に連動して、それぞれの腕片が下動あるいは上動することで、前記室外側羽根板、前記室内側羽根板が、それぞれ室外側見込面上の枢支点、室内側見込面上の枢支点を回動軸として、互いに異なる方向へ回動するように構成されている、二重ルーバー、である。後述する実施形態では、室外側羽根板は、前記腕片を介して室外側見込面に枢支されており、室内側羽根板は、前記腕片とは別の突片を介して室内側見込面に枢支されている。
【０００７】
１つの態様では、開口部閉鎖状態からの開放時において、前記室外側羽根板が室外側見込面上の枢支点を回動軸として下端側が室外側へ突出するように回動し、前記室内側羽根板が室内側見込面上の枢支点を回動軸として下端側が室内側へ突出するように回動する。
【０００８】
１つの態様では、前記室内側羽根板の回動軸は、当該室内側羽根板の高さ方向において下端側に形成されており、前記室内側羽根板は、上端側が開口部閉鎖時に対向する室外側羽根板の下方に入り込み、下端側が常時室内側見付面から室内側に突出しないように回動する。
【０００９】
前記作動部材には、上下方向に間隔を設けて、幅方向に延びる複数の長孔が形成されており、各腕片は、当該長孔内を挿通する軸部を介して作動部材に幅方向に移動可能に連結されている。
【発明の効果】
【００１０】
本発明の二重ルーバーでは、室外側羽根板の回動軸と室内側羽根板の回動軸とを独立させて、両者を互いに異なる方向に回動させるようにしたので、窓開口部の換気時に両者は互いに異なる傾斜姿勢を取り、外部から室内を覗かれることを防止する。
【００１１】
本発明の二重ルーバーでは、室外側羽根板の基端側端部、室内側羽根板の基端側端部は、互いに拘束されることが無い自由端であり、両羽根体の回動時に、基端側端部同士を高さ方向に重なるように回動させることが可能であり、回動時の両羽根体の先端側端部の見込方向の突出寸法を全体としてコンパクトに納めることができる。特に、室内側羽根板の回動軸を、室内側羽根板の高さ方向において下端側に形成し、室内側羽根板を、上端側が開口部閉鎖時に対向する室外側羽根板の下方に入り込み、下端側が常時室内側見付面から室内側に突出しないように回動させるものでは、室内側羽根板が室内網戸の取り付けに支障を来たすことがなく、また、より安全性も確保できる。
【発明を実施するための最良の形態】
【００１２】
本発明の実施形態を図面に基づいて詳細に説明する。ルーバーが取り付けられる窓枠は、上枠１、下枠２、左右の縦枠３，４と、からなり、各枠１，２，３，４の見込面によって囲繞される空間が窓開口部となっており、窓開口部を複数枚の羽根体を備えたルーバーによって開閉するようになっている。図１は、ルーバーによって閉鎖された窓開口部を室内側から見た図である。以下の記載において、窓開口部の内外方向を「見込方向」、窓開口部の内側に面する面を「見込面」とし、窓開口部の正面の面を「見付面」とする。また、本明細書において、「室外側」、「室内側」とは、窓開口部を中心とした実際の室外側、室内側を意味することに加えて、対比される２つの部材あるいは部分がある場合に、相対的に室外側に位置する方を「室外側」、他方を「室内側」という場合を含む。
【００１３】
上枠１は、室外側見付面１０と室内側見付面１１とを備え、室外側見付面１０と室内側見付面１１とは、見込方向に延出する連結片１２によって連結されており、連結片１２の下側に見込面が形成されている。見込面は、室外側見付面１０から室内側に向かって持ち出し状に延出形成された室外側見込面１３と、室内側見付面１１から室外側に向かって持ち出し状に延出形成された室内側見込面１４とからなる。
【００１４】
下枠２は、室外側見付面２０と室内側見付面２１とを備え、室外側見付面２０と室内側見付面２１とは、見込方向に延出する連結片２２によって連結されており、連結片２２の見込方向の中間部位に立ち上がり片２３が形成されており、立ち上がり片２３を挟んで連結片２２の室外側部位が室外側見込面、立ち上がり片２３から室内側に延出して形成された水平片２４が室内側見込面を形成している。
【００１５】
左右の縦枠３，４は、それぞれ、室外側見付面３０，４０と室内側見付面３１，４１とを備え、室外側見付面３０，４０と室内側見付面３１，４１とは、見込方向に延出する連結片３２，４２によって連結されており、連結片３２，４２の内側には、室外側見付面３０，４０から室内側に向かって延出する室外側見込片３３，４３と、室内側見付面３１，４１から室外側に向かって延出する室内側見込片３４，４４とが形成されている。室外側見込片３３，４３、室内側見込片３４，４４には、窓開口部の側面を形成するパネルが設けてあり、各パネルの面部が、室外側見込面３３０，４３０、室内側見込面３４０，４４０を形成している。尚、別途パネルを設けずに、縦枠３，４の室外側見込片３３，４３、室内側見込片３４，４４の各見込面が、各室外側見込面、各室内側見込面を形成するものでもよい。
【００１６】
室外側見込片３３（室外側見込面３３０）と室内側見込片３４（室内側見込面３４０）、室外側見込片４３（室外側見込面４３０）と室内側見込片４４（室内側見込面４４０）との間には、高さ方向に延びる空間が形成されており、当該空間には、高さ方向に延出する長尺状の作動部材５が上下方向に移動可能に設けてある。
【００１７】
図７に示すように、作動部材５は、面部５０と、面部５０の室外側端部、室内側端部をそれぞれ折曲形成してなる室外側折曲片５１、室内側折曲片５２と、から断面視コ字状に形成されている。作動部材５の室外側折曲片５１は、室外側見込片３３，４３（室外側見込面３３０，４３０）の室内側端縁に近接対向しており、作動部材５の室内側折曲片５２は、室内側見込片３４，４４（室内側見込面３４０，４４０）の室外側端縁に近接対向しており、面部５０が、窓枠の側面の見込方向の中央部位の見込面を形成している。
【００１８】
作動部材５の面部５０には、高さ方向に所定間隔を存して第１長孔５００、第２長孔５０１が交互に形成されている。図示の態様例では、第１長孔５００、第２長孔５０１は面部５０の幅方向（見込方向）に水平に延びているが、概ね幅方向に延出するものであれば、緩やかに傾斜状に延びるものや緩やかに湾曲状に延びるものでもよい。図示の態様例では、第１長孔５００と第２長孔５０１は同じ寸法・形状を備えており、第１長孔５００は第２長孔５０１に対して相対的に室内側に位置している。また、作動部材５の面部５０の高さ方向の中間の所定位置には、幅方向中央に位置して後述する操作手段６を連結する軸部５０３が装着される連結孔５０２が形成されている。
【００１９】
一方の作動部材５には、作動部材５を上下動可能に支持する操作手段６が連結されており、室内側から操作手段６を操作することで、作動部材５を上下に移動可能となっている。操作手段６は、第１アーム６０、第２アーム６１、ギア６２、ハンドル６３と、を備えている。第１アーム６０の先端は、作動部材５の面部５０の所定高さ位置に形成された連結孔５０２に装着された軸部５０３に対して回転可能に連結されており、第１アーム６０の基端は、第２アーム６１の先端に回転可能に連結されており、第２アーム６１の基端はギア６２を介してハンドル６３と連動連結されている。ハンドル６３の第１の方向への回転によって操作手段６を介して作動部材５が下動し、ハンドル６３の第２の方向への回転によって操作手段６を介して作動部材５が上動する。図示の態様では、作動部材５は、室外側折曲片５１、室内側折曲片５２が、それぞれ、室外側見込片３３，４３（室外側見込面３３０，４３０）の室内側端縁、室内側見込片３４，４４（室内側見込面３４０，４４０）の室外側端縁、にガイドされることで垂直方向に上下動するようになっているが、別個のガイド部材（例えば、ベアリング）を設けてもよい。
【００２０】
二重ルーバーは、開口部閉鎖時に室外側に面するように上下方向に配置された複数枚の室外側羽根板７と、開口部閉鎖時に室内側に面するように上下方向に配置された複数枚の室内側羽根板８とを備えている。
【００２１】
室外側羽根板７は、開口部の幅方向に延出する長尺状の板体であり、室外側羽根板７の長さ方向両端部には、室外側羽根板７を窓開口部に支持させるための支持部材７０が装着されている。図８に示すように、支持部材７０は、室外側羽根板７の断面形状に対応しており、室外側羽根板７の端部に被嵌される本体７０Ａと、本体７０Ａから室内側に向かって上向き傾斜状に延出する腕片７１とを備えている。腕片７１の基端側には回動軸Ｘ１が装着される装着孔７１Ａ、腕片７１の先端側には案内軸Ｘ２が装着される装着孔７１Ｂがそれぞれ形成されている。
【００２２】
図２乃至図６に示すように、腕片７１の回動軸Ｘ１は、縦枠３，４の室外側見込面３３０，４３０の室内側寄りの部位に設けられ、室外側羽根板７は、回動軸Ｘ１を介して室外側見込面３３０，４３０に枢支される。腕片７１の先端に設けられる案内軸Ｘ２は、作動部材５の面部５０に形成した長孔５００内に長孔５００の長さ方向に移動可能に挿通されている。
【００２３】
室内側羽体板８は、開口部の幅方向に延出する長尺状の板体であり、室内側羽根板８の長さ方向両端部には、室内側羽根板８を窓開口部に支持させるための支持部材８０が装着されている。図９に示すように、支持部材８０は、室内側羽根板８の断面形状に対応しており、室内側羽根板８の端部に被嵌される本体８０Ａと、本体８０Ａから室内側に向かって突設された室内側突片８１と、本体８０Ａから室外側に向かって上向きに突設された室外側腕片８２と、を備えている。室内側突片８１には回動軸Ｘ１が装着される装着孔８１Ａが、室外側腕片８２には案内軸Ｘ２が装着される装着孔８２Ａが、それぞれ形成されている。
【００２４】
図２乃至図６に示すように、室内側突片８１の回動軸Ｘ１は、縦枠３，４の室内側見込面３４０，４４０の室外側寄りの部位に設けられ、室内側羽根板８は、回動軸Ｘ１を介して室内側見込面３４０，４４０に枢支される。腕片８２の先端に設けられる案内軸Ｘ２は、作動部材５の面部５０に形成した長孔５０１内に長孔５０１の長さ方向に移動可能に挿通されている。
【００２５】
二重ルーバーの全体構成及び室外側羽根板７、室内側羽根板８の動きを図２乃至図４に基づいて説明する。
【００２６】
図２は、ルーバーが窓開口部を全閉した状態を示している。室外側羽根板７の腕片７１の先端の案内軸Ｘ２は、作動部材５の面部５０の長孔５００の室外側端部に位置しており、各室外側羽根板７は、下端側が室外側に僅かに突出した鉛直に近い傾斜姿勢となっている。腕片７１の先端（上端）の案内軸Ｘ２は、腕片７１の基端の回動軸Ｘ１よりも上側に位置している。上下に隣位の室外側羽根板７において、上側の室外側羽根板７の室内側の面部の下方部位は、下側の室外側羽根板７の室外側の面部の上方部位に面接触している。最上位の室外側羽根板７の室外側の面部の上方部位には、上枠１に設けた気密部材Ｓ１が面接触している。最下位の室外側羽根板７の室内側の面部の下方部位には、下枠２に設けた気密部材Ｓ２が面接触している。
【００２７】
室内側羽根板８の腕片８２の先端の案内軸Ｘ２は、作動部材５の面部５０の長孔５０１の室内側端部に位置しており、各室内側羽根板８は、下端側が僅かに室内側に突出した鉛直に近い傾斜姿勢となっている。腕片８２の先端の案内軸Ｘ２は、突片８１の回動軸Ｘ１よりも上側に位置している。上下に隣位の室内側羽根板８において、上側の室内側羽根板８の室外側の面部の下方部位は、下側の室内側羽根板８の室内側の面部の上方部位に面接触している。最上位の室内側羽根板８の室内側の面部の上方部位には、上枠１の室内側見込面１４に形成した垂下片１４０に設けた気密部材Ｓ３が接触している。最下位の室内側羽根板８の室外側の面部の下方部位には、下枠２の立ち上がり片２３に設けた気密部材Ｓ４が接触している。
【００２８】
図２から明らかなように、窓開口部全閉時では、室外側羽根板７、室内側羽根板８は、窓開口部の見込寸法内に納まっている。図示の態様では、窓開口部全閉時において、室外側羽根板７の案内軸Ｘ２と、室内側羽根板８の案内軸Ｘ２とは、略同一鉛直軸線上に位置している。窓開口部の室内側には、網戸１００が装着されている。
【００２９】
図２に示す開口部全閉状態において、操作手段６のハンドル６３の操作によって、一方の作動部材５を下動させると、案内軸Ｘ２を介して腕片７１の先端が下方に移動することで、室外側羽根板７は、腕片７１の基端の回動軸Ｘ１を中心に回動し、下端側（先端側）が室外側に拡開して行く。この時、腕片７１の先端は、当該先端に設けた案内軸Ｘ２が長孔５００の室外側位置から長孔５００の室内側に向かって移動することで、回動軸Ｘ１を中心とした円弧状の移動軌跡（図２乃至図４に二点鎖線で示す）に沿って下方に移動することとなる。
【００３０】
同様に、開口部全閉状態から、操作手段６のハンドル６３の操作によって、一方の作動部材５を下動させると、案内軸Ｘ２を介して腕片８２の先端が下方に移動することで、室内側羽根板８は、突片８１の回動軸Ｘ１を中心に回動し、下端側（先端側）が室内側に拡開して行く。この時、腕片８２の先端は、当該先端に設けた案内軸Ｘ２が長孔５０１の室内側位置から長孔５０１の室外側に向かって移動することで、回動軸Ｘ１を中心とした円弧状の移動軌跡（図２乃至図４に二点鎖線で示す）に沿って下方に移動することとなる。
【００３１】
複数の室外側羽根板７は、室外側見込面３３０，４３０に設けた回動軸Ｘ１を中心として、互いに平行状に、下端側（先端側）が室外側に拡開して行き、複数の室内側羽根板８は、室内側見込面３４０，４４０に設けた回動軸Ｘ１を中心として、互いに平行状に、下端側（先端側）が室内側に拡開して行き、室外側羽根板７と室内側羽根板８は互いに異なる方向に回動する。したがって、室外側羽根板７と室内側羽根板８は互いに異なる傾斜姿勢、すなわち、室外側羽根板７がその下端側が室外側に開いた姿勢、室内側羽根板８がその下端側が室内側に開いた姿勢、となるため、図３に示すようなルーバー開放時に、室外側から室内側が覗かれることがない。
【００３２】
室外側羽根板７において、腕片７１の基端は、室外側羽根板７の高さ寸法の中間部位よりも上側に位置しており、腕片７１は、そこから上向き傾斜状に延出しており、腕片７１の基端側に形成された回動軸Ｘ１から室外側羽根板７の下端までの寸法は、室外側羽根板７の高さ寸法の半分の寸法よりも大きい寸法となっている。回動軸Ｘ１から室外側羽根板７の先端（下端）までの距離は、回動軸Ｘ１から室外側見込面３３０，４３０の室外側端部までの寸法よりも大きいため、室外側羽根板７が拡開すると、下端側（先端側）が窓開口部の見込寸法から室外側へ突出する。
【００３３】
室内側羽根板８において、室内側突片８１は、室内側羽根板８の室内側の面部の下方部位に突設されており、室外側腕片８２は、室内側羽根板８の室外側の面部の下方部位に、室内側突片８１よりも少し上方側に位置して、突設されている。室内側羽根板８の回動軸Ｘ１は、室内側羽根板８の高さ方向において下端側に形成されており、回動軸Ｘ１から室内側羽根板８の先端（下端）までの距離は、回動軸Ｘ１から室内側見込面３４０，４４０の室内側端部までの寸法よりも小さいため、室内側羽根板８は、窓開口部の見込寸法内で拡開し、下端側（先端側）が窓開口部の室内側見付面３１，４１から室内側へ突出することがない。したがって、室内側羽根板８が室内網戸１００の取り付けに支障を来たすことがなく、また、より安全性も確保できる。
【００３４】
図２に示す開口部全閉状態からのルーバー開放時には、室内側羽根板８の上端部位（基端側部位ないし室外側部位）は、開口部全閉時に対向する室外側羽根板７の下方に位置して、室外側羽根板７の上端部位（基端側部位ないし室内側部位）よりも、室外側に突出するように回動する。したがって、図３に示すように、室外側羽根板７および室内側羽根板８が傾斜した状態では、それぞれの羽根板７，８の基端側端部同士が高さ方向に重なるような傾斜姿勢となって、平行状の室外側羽根板７の間には、室内側羽根板８の上半部が位置しており、回動時の室内側羽根板８の突出寸法を小さく納めることができ、かつ、視線の角度がいかなる方向から来ても、室内側を目隠しできるようになっている。
【００３５】
図３に示す開放状態からさらに、操作手段６のハンドル６３の操作によって、作動部材５を下動させると、案内軸Ｘ２を介して腕片７１の先端が下方に移動することで、室外側羽根板７は、腕片７１の基端の回動軸Ｘ１を中心に回動し、さらに、室外側に拡開して行って、図４に示す開口部全開状態となる。この時、腕片７１の先端は、当該先端に設けた案内軸Ｘ２が長孔５００の室内側位置から長孔５００の室外側に向かって移動することで、回動軸Ｘ１を中心とした円弧状の移動軌跡（図２乃至図４に二点鎖線で示す）に沿って下方に移動することとなる。
【００３６】
同様に、図３に示す開放状態からさらに、操作手段６のハンドル６３の操作によって、作動部材５を下動させると、案内軸Ｘ２を介して腕片８２の先端が下方に移動することで、室内側羽根板８は、突片８１の回動軸Ｘ１を中心に回動し、室内側に拡開して行って、図４に示す開放状態となる。この時、腕片８２の先端は、当該先端に設けた案内軸Ｘ２が長孔５０１の室外側位置から長孔５０１の室内側に向かって移動することで、回動軸Ｘ１を中心とした円弧状の移動軌跡（図２乃至図４に二点鎖線で示す）に沿って下方に移動することとなる。
【００３７】
図４に示す全開状態から、操作手段６のハンドル６３の操作によって、作動部材５を上動させると、上述の逆工程を辿って、図３の状態を経て、図２の全閉状態となる。
【産業上の利用可能性】
【００３８】
本発明は、窓開口部に設けられるルーバーに用いることができる。
【図面の簡単な説明】
【００３９】
【図１】二重ルーバーを室内側から見た姿図である。
【図２】開口部全閉状態にある二重ルーバーの縦断面図であり、説明の便宜上、羽根板の枚数を省略して簡略化している。
【図２Ａ】図２の部分図である。
【図３】図２の状態から羽根板を回動して傾斜姿勢とした図である。
【図４】図３の状態から羽根板を回動して略水平姿勢とした図である。
【図５】図２の二重ルーバーの横断面図である。
【図６】図５の一部拡大図である。
【図７】作動部材の部品図である。
【図８】室外側羽根板の支持部材の部品図である。
【図９】室内側羽根板の支持部材の部品図である。
【図１０】従来の二重ルーバーの羽根板が回動して傾斜した状態を示す図である。
【符号の説明】
【００４０】
３，４  縦枠
３３０，４３０  室外側見込面
３４０，４４０  室内側見込面
５  作動部材
５００  長孔
５０１  長孔
６  操作手段
７  室外側羽根板
７１  腕片
８  室内側羽根板
８１  室内側突片
８２  室外側腕片
Ｘ１  回動軸
Ｘ２  案内軸
【図１】
2009235811.tif 000003
【図２】
2009235811.tif 000004
【図２Ａ】
2009235811.tif 000005
【図３】
2009235811.tif 000006
【図４】
2009235811.tif 000007
【図５】
2009235811.tif 000008
【図６】
2009235811.tif 000009
【図７】
2009235811.tif 000010
【図８】
2009235811.tif 000011
【図９】
2009235811.tif 000012
【図１０】
2009235811.tif 000013